(57)【要約】【課題】ハウジング内に配置したスイッチに、自由位置でボタンと離間間隔をもって対向する操作伝達部を設け、その操作伝達部を合成樹脂の射出成形品とし、ボタンのボタン押し操作で当該ボタンが前記操作伝達部の対向端を押すようにした電気器具のスイッチ装置において、スイッチの操作伝達部の対向端のひけを軽減しながら、ボタンと当該操作伝達部との運動伝達を容易に得られるようにする。【解決手段】前記スイッチ１０の操作伝達部１５の対向端が、筒壁１９の端部と、この筒壁１９の内側に形成されたリブ構造２０の端部とで構成することにより、筒壁１９の内側に肉盗み２１を形成し、ひけを軽減すると共に、リブ構造２０の端部とボタン８の操作伝達部１３とを、その操作伝達部１３が筒壁１９の内側に入り込めない関係とすることにより、両操作伝達部１３、１５の対向端間の運動伝達が可能な範囲が実質的に狭くならないようにした。【選択図】図６
2008287980.tif 000002
【特許請求の範囲】
【請求項１】
ハウジング内に配置したスイッチに、自由位置でボタンと離間間隔をもって対向する操作伝達部を設け、その操作伝達部を合成樹脂の射出成形品とし、前記ボタンのボタン押し操作で当該ボタンが前記操作伝達部の対向端を押すようにした電気器具のスイッチ装置において、
前記操作伝達部の対向端が、筒壁の端部と、この筒壁の内側に形成されたリブ構造の端部とからなり、前記リブ構造の端部と前記ボタンとを、そのボタンが前記筒壁の内側に入り込めない関係としたことを特徴とする電気器具のスイッチ装置。
【発明の詳細な説明】
【技術分野】
【０００１】
この発明は、電気ポット、電気炊飯器等の電気器具におけるスイッチ装置に関する。
【背景技術】
【０００２】
この種の電気器具に採用されるスイッチ装置は、充電部の保護のため、ハウジング内にスイッチが配置され、ハウジング外からボタンを操作できるようになっている。ハウジング内のスイッチとボタン間の操作伝達を図るため、スイッチに、自由位置でボタンと離間間隔をもって対向する操作伝達部を設けられている。スイッチの操作伝達部を自由位置で離間間隔をもって対向させることにより、ボタン押し操作に対するスイッチ感度に余裕が与えられている。
ボタンがボタン押し操作を受けると、そのボタンは、スイッチの操作伝達部の対向端を押すようになっている。ボタン押し操作が終わると、ボタン及びスイッチは、自動的に自由位置に復帰するようになっている。
なお、ボタンとスイッチの操作伝達部との間に、ハウジング内への浸水口を覆う防水シートがある場合、ボタン側操作伝達部の対向端は、防水シートを介してスイッチ側操作伝達部の対向端を押すように構成されている（例えば、特許文献１参照）。
【０００３】
スイッチの操作伝達部は、絶縁性、加工性等を考慮し、一般に、合成樹脂の射出成形品からなる。前掲の特許文献１に開示されたスイッチの操作伝達部は、中実体で構成されている。中実体を合成樹脂で射出成形すると、ひけが発生する。一般に、家庭用電器器具のボタン押し操作に対するスイッチ感度の調整は、０．１ｍｍ程度の繊細なものであり、ひけの発生具合を見ながら、金型を修正し、所望のスイッチ感度が得られるようにしている。前記のひけが大きく発生すると、修正の難易度が上がり、金型修正を繰り返し行うことになって手間である。このため、前掲の特許文献１に開示されたスイッチの操作伝達部は、弾丸状の中実体とすることにより、ボタンとの対向端の中央から周縁部に向かって肉を落とし、ひけの軽減が図られている。
【０００４】
【特許文献１】特開２００６−２５８６３号公報（要約書、明細書：段落００１０〜００１３、図４〜図６）
【発明の開示】
【発明が解決しようとする課題】
【０００５】
しかしながら、前掲の特許文献１のように、スイッチの操作伝達部を弾丸状の中実体とすると、周縁部に向かって肉落としが形成される分、その対向端の中央部が小さくなり、確実な伝達が得難くなる問題がある。
【０００６】
そこで、この発明の課題は、ハウジング内に配置したスイッチに、自由位置でボタンと離間間隔をもって対向する操作伝達部を設け、その操作伝達部を合成樹脂の射出成形品とし、ボタン押し操作でボタンが前記操作伝達部の対向端を押すようにした電気器具のスイッチ装置において、スイッチの操作伝達部の対向端のひけを軽減しながら、ボタンと当該操作伝達部との運動伝達を容易に得られるようにすることにある。
【課題を解決するための手段】
【０００７】
上記の課題を解決するため、この発明は、ハウジング内に配置したスイッチに、自由位置でボタンと離間間隔をもって対向する操作伝達部を設け、その操作伝達部を合成樹脂の射出成形品とし、前記ボタンのボタン押し操作で当該ボタンが前記操作伝達部の対向端を押すようにした電気器具のスイッチ装置において、前記操作伝達部の対向端が、筒壁の端部と、この筒壁の内側に形成されたリブ構造の端部とからなり、前記リブ構造の端部と前記ボタンとを、そのボタンが前記筒壁の内側に入り込めない関係とした構成を特徴とするものである。
【０００８】
スイッチの操作伝達部の対向端が、筒壁の端部と、この筒壁の内側に形成されたリブ構造の端部とからなる構成とすれば、筒壁とリブ構造の間の肉盗みにより、対向端の中央部のひけが軽減される。
前記リブ構造の端部と前記ボタンとを、そのボタンが前記筒壁の内側に入り込めない関係とした構成を採用すれば、前記の肉盗みを形成しても、スイッチの操作伝達部の対向端とボタンとの運動伝達が可能な範囲が実質的に狭くならず、ボタンと当該操作伝達部との運動伝達が容易に得られる。
【発明の効果】
【０００９】
上述のように、この発明は、ハウジング内に配置したスイッチに、自由位置でボタンと離間間隔をもって対向する操作伝達部を設け、その操作伝達部を合成樹脂の射出成形品とし、ボタンのボタン押し操作で当該ボタンが前記操作伝達部の対向端を押すようにした電気器具のスイッチ装置において、上記特徴的構成の採用により、スイッチの操作伝達部の対向端のひけを軽減しながら、ボタンと当該操作伝達部との運動伝達を容易に得ることができる。
【発明を実施するための最良の形態】
【００１０】
以下、この発明の実施形態を添付図面に基づいて説明する。
図１は、実施形態に係る電気器具の全体構成を縦断側面で示している。
図１に示すように、実施形態に係る電気器具は、電気ポットとして構成されている。
電気器具は、外容器１の肩２に開閉自在かつ着脱自在に設けられた蓋３とを備えている。肩２は、蓋３と閉じ合うようになっており、胴４と共に、吐出口５を有するノーズ６を構成している。ノーズ６の上面は、肩２に取り付けられたパネル７からなり、そのパネル７から操作用のボタン８が露出している。
【００１１】
図２は、ノーズ６の部分を拡大して示している。図３は、ノーズ６の分解斜視を示している。図４は、ボタン８の下側からの斜視を示している。
図２〜図４に示すように、ボタン８は、支持フレーム９と共に、合成樹脂で一体成形されている。スイッチ１０が固定された操作基板１１は、肩２のうち、ノーズ６の部分に開放された基板収納室１２内に固定されている。
【００１２】
ボタン８は、２箇所で支持フレーム９に連続しており、その２点を結ぶ線に沿った揺動軸、又は２点を結ぶ線上に揺動軸を有している。支持フレーム９は、パネル７と肩２との間で挟持されており、ボタン押し操作で位置ずれしないようになっている。
ボタン８は、ボタン押し操作を受けると、支持フレーム９が弾性的に撓み乃至捻れながら揺動軸回りに傾きつつ内方に押し込まれて動作位置に達し、ボタン押し操作の外力が無くなると、支持フレーム９の弾性回復で自由位置に復帰するようになっている。なお、図２は、自由位置にある状態を示している。
【００１３】
ボタン８の内面中央部に、操作伝達部１３が突軸状に形成されている。ボタン８の操作伝達部１３は、筒軸状に形成されている。これは、ボタン８の外面中央部にひけが生じないようにするためである。
【００１４】
図５は、操作基板１１の分解斜視を示している。
図２、図３、図５に示すように、スイッチ１０は、タクトスイッチで接点操作を行うように構成されている。このスイッチ１０に、タクトスイッチの操作部１４に対向する操作伝達部１５が設けられている。スイッチ１０の操作伝達部１５は、操作基板１１に爪脚部で係合一体化される取り付け板１６と、操作伝達部１５を取り付け板１６に片持ち支持するアーム１７と共に合成樹脂で一体射出成形された部品となっている。
【００１５】
スイッチ１０の操作伝達部１５は、取り付け板１６と係合一体化された操作基板１１を基板収納室１２の内部にねじ止めすることで固定されている。その状態で、取り付け板１６の上面及び肩２の上面に防水シート１８が接着されている。その防水シート１８の上側に被さるように上記のパネル７が肩２のノーズ６の部分に取り付けられている。このパネル７の取り付けにより、スイッチ１０の操作伝達部１５は、自由位置でボタン８の操作伝達部１３と離間間隔をもって対向する。
【００１６】
図６（ａ）は、スイッチ１０の操作伝達部１５の上面を拡大して示している。図６（ｂ）は、動作位置にあるスイッチ１０の操作伝達部１５を図６（ａ）中のｂ−ｂ線の断面で示している。
図２、図６（ａ）、（ｂ）に示すように、スイッチ１０の操作伝達部１５は、筒壁１９の端部と、この筒壁１９の内側に形成されたリブ構造２０の端部とからなる。リブ構造２０の端部は、横断面十字状とされており、スイッチ１０の操作伝達部１５の対向端は、その中央部、すなわち、リブ構造２０の端部中央のひけが軽減される。
【００１７】
上記の構成において、ボタン８が押されると、支持アーム９が撓んでボタン８の操作伝達部１３の対向端が傾きながら下がり、スイッチ１０の操作伝達部１５を防水シート１８を介して押す。これにより、操作伝達部１５を先端部に有するアーム１７が撓み、その操作伝達部１５が傾きながらタクトスイッチの操作部１４に接触してこれを押し下げ、スイッチの接点操作が行われる。この一連の運動伝達の中で、ボタン８の操作伝達部１３は、アーム９、１７の傾きにかかわらず、防水シート１８を介して筒壁１９の端部又はリブ構造２０の端部に必ず受けられ、筒壁１９の内側に形成された肉盗み２１の凹所に入り込めない。
すなわち、スイッチ１０の操作伝達部１５の対向端とボタン８の操作伝達部１３の対向端との運動伝達が可能な範囲は、筒壁１９の端部まで及んでおり、肉盗み２１を形成しても実質的に狭くなっていない。
したがって、この実施形態は、スイッチ１０の操作伝達部１５の対向端のひけを軽減しながら、ボタン８と当該操作伝達部１５との運動伝達を容易に得ることができる。
【００１８】
特に、肉盗み２１によるひけ軽減が可能なため、筒壁１９の端部は、ボタン８の操作伝達部１３の対向端を対向方向に延長した領域からはみ出るように形成されている。これにより、ボタン８が大きく傾くように押しボタン操作を受けた場合でも、ボタン８の操作伝達部１３の対向端と当該操作伝達部１５の対向端との運動伝達をより容易に得ることができる。
【００１９】
なお、筒壁１９、リブ構造２０は、上記のような形態に限られず、ボタン８の操作伝達部１３の対向端が筒壁１９の内側に入り込めない関係であれば、横断面三叉状、横断面平行状等の適宜の形態に変更することができる。
【図面の簡単な説明】
【００２０】
【図１】実施形態に係る電気器具の全体構成を示す縦断面図
【図２】図１のノーズ部分の拡大図
【図３】図１のノーズ部分の分解斜視図
【図４】図１のボタンを下側から示した斜視図
【図５】図２の操作基板の分解斜視図
【図６】ａは図２のスイッチの操作伝達部を示す拡大上面図、ｂはａのｂ−ｂ線の断面でボタン押し操作がなされた状態を示す作用図
【符号の説明】
【００２１】
１  外容器
２  肩
３  蓋
４  胴
５  吐出口
６  ノーズ
７  パネル
８  ボタン
９  支持フレーム
１０  スイッチ
１１  操作基板
１２  基板収納室
１３、１５  操作伝達部
１４  操作部
１６  取り付け板
１７  アーム
１８  防水シート
１９  筒壁
２０  リブ構造
２１  肉盗み
【図１】
2008287980.tif 000003
【図２】
2008287980.tif 000004
【図３】
2008287980.tif 000005
【図４】
2008287980.tif 000006
【図５】
2008287980.tif 000007
【図６】
2008287980.tif 000008